(57)【要約】【課題】中央基準Ｓで導入される記録材をニップ部Ｎにて挟持搬送して記録材上の画像を加熱する加熱回転体３３と、この加熱回転体の記録材搬送領域Ｑ両側の記録材搬送領域外Ｒａ・Ｒｂをそれぞれ送風により冷却する第１と第２の冷却手段と、を有する画像加熱装置において、非通紙部領域である両端部Ｒａ・Ｒｂの温度上昇を防止し、かつ、両端部に送風される風速分布をほぼ対称にして、安定した画像加熱処理と記録材搬送を達成する。【解決手段】第１と第２の冷却手段は、それぞれ、加熱回転体３３に対向して送風口ａが形成されたダクト５１Ｌ・５１Ｒと、このダクトに冷却風を送風する冷却ファン５２Ｌ・５２Ｒと、を有し、第１の冷却手段の冷却ファン５２Ｌ・と第２の冷却手段の冷却ファン５２Ｒの回転方向が逆であること。【選択図】図６
2008032904.tif 000002
【特許請求の範囲】
【請求項１】
記録材上の画像をニップ部にて加熱する加熱回転体と、記録材の幅方向長さが設定長さよりも短いとき記録材搬送領域外となる前記加熱回転体の幅方向一端側と他端側の領域を冷却する第１の冷却ファン及び第２の冷却ファンと、を有する画像加熱装置において、
前記第１の冷却ファンと前記第２の冷却ファンの回転方向を互いに逆向きとしたことを特徴とする画像加熱装置。
【請求項２】
前記第１の冷却ファンによるエアーを前記加熱回転体に導く第１のダクトと、前記第２の冷却ファンによるエアーを前記加熱回転体に導く第２のダクトと、を有し、これらダクトは対応するファンの回転軸線方向に対してそれぞれ対称な形状とされていることを特徴とする請求項１の画像加熱装置。
【請求項３】
前記加熱回転体の幅方向一端側の温度を検出する検出手段と、前記検出手段による検出温度が設定温度に上昇したとき前記第１の冷却ファンと前記第２の冷却ファンによる冷却動作を実行させる実行手段と、を有することを特徴とする請求項１又は２の画像加熱装置。
【発明の詳細な説明】
【技術分野】
【０００１】
本発明は、複写機、プリンタ、ファクシミリ等の電子写真方式や静電記録方式等を採用した画像形成装置に用いられ、記録材上の画像を加熱する画像加熱装置に関する。
【０００２】
この画像加熱装置としては、例えば、記録材上の未定着画像を定着する定着装置や、記録材に定着された画像を加熱することにより画像の光沢を増大させる光沢増大化装置等を挙げることができる。
【背景技術】
【０００３】
上記のような画像形成装置は、作像手段によりシート状の記録材（用紙）上に未定着トナー像を形成した後、定着手段により、該トナー像を固着像として定着させている。
【０００４】
定着手段には様々な方式が提案されているが、トナー像を加熱・加圧して定着させる熱圧定着方式の定着装置が一般に用いられている。この定着装置は、加熱手段で加熱される加熱回転体（加熱ローラ、加熱ベルトなど）と、これと圧接して定着ニップ部を形成する加圧回転体（加圧ローラ、加圧ベルトなど）を有している。そして、この両回転体を回転させ、定着ニップ部に未定着トナー像を担持させた記録材を導入して挟持搬送させることで、トナー像を加熱回転体の熱とニップ圧で記録材面に熱圧定着させるものである。
【０００５】
このような定着装置においては、装置に通紙可能な最大幅を有する大サイズ記録材よりも幅が小さい小サイズ記録材を連続的に通紙して定着を実行させた場合に、加熱回転体の非通紙域（記録材搬送領域外）の表面の温度が過度に上昇する。これは、小サイズ記録材を連続的に通紙すると、定着ニップ部の記録材の通過しない非通紙域では記録材による奪熱が無い分だけ、部分的に蓄熱されるためである。
【０００６】
この現象は、定着装置の端部昇温あるいは非通紙部昇温と称され、この端部昇温が高温になると、ホットオフセットの発生や装置構成部品の熱劣化につながる。
【０００７】
このような、非通紙部昇温を防止するべく、定着装置に送風ファンを設けて、非通紙部の加熱ローラおよび加圧ローラに送風することにより、その温度上昇を押さえる構成が、例えば特許文献１や２に提案されている。
【０００８】
特許文献１や２においては、記録材が中央基準で導入される定着装置について、加熱ローラの通紙域両側に生じる一方側と他方側の非通紙部をそれぞれ送風により冷却して非通紙部昇温を抑える送風冷却手段として、２組の冷却ファンとダクトを具備させている。また、特許文献１の定着装置は、さらに、冷却域を可変とするシャッターを有していて、記録材のサイズによって冷却域を設定し、冷却を行う構成である。
【特許文献１】特開平４−５１１７９号公報
【特許文献２】特開２００１−２０１９７９号公報
【発明の開示】
【発明が解決しようとする課題】
【０００９】
しかしながら、従来の構成では、それぞれの側の送風冷却手段により冷却される、加熱ローラの一方側と他方側の非通紙部の温度分布が実際上同じではない。
【００１０】
その理由として、それぞれの側の送風冷却手段間における、フィンの回転によって連続的に空気を圧送する軸流ファンに見られる旋回流や、冷却ファンから送風される空気流を加熱ローラの非通紙部に導く案内手段であるダクトの形状等の相違が挙げられる。
【００１１】
加熱ローラの一方側と他方側の非通紙部の温度分布が異なると、例えば加熱ローラの通紙域端部近傍の温度が両端側で異なり、そのために定着不良を生じる。また、加圧ローラの熱による膨張も両端部で異なるので、記録材を搬送する際に記録材が加圧ローラ軸方向に寄ってしまう等の問題がある。
【００１２】
図１６は上記の従来例の課題を説明する概略図である。（１）と（２）は、それぞれ、冷却ファン１０１とダクト１０２を有する、タイプＡとタイプＢの２タイプの送風冷却手段である。このタイプＡとタイプＢの送風冷却手段において、冷却ファン１０１は軸流ファンである。ａはダクト１０２の送風口であり、（３）の加熱ローラ１０３の非通紙部Ｒａ・Ｒｂに対向する。
【００１３】
タイプＡの送風冷却手段は、軸流ファン１０１から送風される空気流を加熱ローラの非通紙部に案内するダクト１０２の形状が、軸流ファン１０１の軸中心（軸線）に対して対称である。
【００１４】
タイプＢの送風冷却手段は、軸流ファン１０１から送風される空気流を加熱ローラの非通紙部に案内するダクト１０２の形状が、軸流ファン１０１の軸中心に対して非対称である。
【００１５】
（３）において、Ｏ−Ｏは加熱ローラ１０３の回転中心軸線、矢印Ｙは加熱ローラ１０３の回転方向、Ｓは定着装置に導入される記録材の中央基準搬送線（仮想線）である。Ｑは小サイズ記録材の通紙域、ＲａとＲｂは、小サイズ記録材を通紙したときに、加熱ローラ１０３の通紙域Ｑの両側に生じる一方側と他方側の非通紙部である。
【００１６】
上記の一方側と他方側の非通紙部ＲａとＲｂに対する送風冷却手段が、それぞれタイプＡの送風冷却手段である場合には、その両方の送風冷却手段のダクト送風口ａにおける風速分布は例えばＶ−Ａのようになる。この場合は、加熱ローラ１０３の一方側と他方側の非通紙部ＲａとＲｂへの風速分布は同様となる。又、中央基準Ｓに対して対称といえる。
【００１７】
しかし、上記の一方側と他方側の非通紙部ＲａとＲｂに対する送風冷却手段が、それぞれタイプＢの送風冷却手段である場合には、ダクト壁面での空気流の損失がダクト壁面の傾きによって異なる。そのために、一方側と他方側の非通紙部ＲａとＲｂに対する送風冷却手段のダクト送風口ａにおける風速分布が例えばＶ−Ｂのようになってしまう。この場合は、加熱ローラ１０３の一方側と他方側の非通紙部ＲａとＲｂへの風速分布は中央基準Ｓに対して非対称となり、一方側と他方側の非通紙部ＲａとＲｂの温度分布に違いを生じる。
【００１８】
近年では、装置の小型化が求められており、ダクトの距離は短くなり、形状も常に対称形状にするということは難しい。
【００１９】
又、一方側と他方側の非通紙部ＲａとＲｂにおける送風冷却手段がタイプＡのように、ダクト１０２の形状が軸流ファン１０１の軸中心に対して対称であっても、一方側と他方側の非通紙部ＲａとＲｂの冷却効果や範囲が非対称になってしまう。すなわち、加熱ローラ１０３は矢印Ｙ方向に回転している。そのため、一方側と他方側の非通紙部ＲａとＲｂおける送風冷却手段の軸流ファン１０２のフィン回転方向が同じで、空気流の流線方向が中央基準Ｓに対して非対称であると、ダクト送風口ａからでた冷却風の流線が回転する加熱ローラ１０３の影響を受ける。その結果、加熱ローラ１０３に沿う冷却風の流線が、一方側と他方側の非通紙部ＲａとＲｂにおいて非対称になり、冷却効果や範囲が非対称になってしまう。
【００２０】
そのため、加熱ローラ１０３の通紙域Ｑの幅方向端部近傍で、上述のように加熱ローラ１０３の通紙域幅方向端部近傍の温度が両端で異なる。その結果として、定着不良が生じたり、加圧ローラの熱による膨張も両端部側で異なるので記録材を搬送する際に記録材が軸方向に寄ってしまう等の問題がある。
【００２１】
近年ではカラー化が進み、より定着する温度の精度が求められ、加えて高速化を実現するためには上述の問題を解消することが求められる。
【００２２】
本発明は前述の事情に鑑みて提案されたものであり、その目的とするところは、上記のような画像加熱装置において、非通紙部領域である両端部の温度上昇を防止し、かつ、両端部に送風される風速分布を対称にすることである。これにより、安定した画像加熱処理と記録材搬送を達成することである。
【課題を解決するための手段】
【００２３】
上記の目的を達成するための本発明に係る画像加熱装置の代表的な構成は、記録材上の画像をニップ部にて加熱する加熱回転体と、記録材の幅方向長さが設定長さよりも短いとき記録材搬送領域外となる前記加熱回転体の幅方向一端側と他端側の領域を冷却する第１の冷却ファン及び第２の冷却ファンと、を有する画像加熱装置において、前記第１の冷却ファンと前記第２の冷却ファンの回転方向を互いに逆向きとしたことを特徴とする。
【発明の効果】
【００２４】
本発明の画像加熱装置によれば、非通紙部領域である両端部の温度上昇を防止し、かつ、両端部に送風される風速分布を互いにほぼ対称にして、安定した画像加熱処理と記録材搬送を達成することができる。
【発明を実施するための最良の形態】
【００２５】
次に図面を参照しながら、本発明の実施の形態の具体例（実施例）を説明するが、本発明は以下の実施例に限定されるものではない。
【実施例１】
【００２６】
（１）画像形成部
図１０は本発明に従う画像加熱装置を定着装置として搭載した画像形成装置の一例である電子写真フルカラープリンタの概略構成を示す縦断面模式図である。まず、画像形成部の概略を説明する。
【００２７】
このプリンタは、制御回路部（制御手段：ＣＰＵ）１００と通信可能に接続した外部ホスト装置２００からの入力画像情報に応じて作像動作して、記録材上にフルカラー画像を形成して出力することができる。
【００２８】
外部ホスト装置２００は、コンピュータ、イメージリーダー等である。制御回路部１００は、外部ホスト装置２００と信号の授受をする。また、各種作像機器と信号の授受をし、作像シーケンス制御を司る。
【００２９】
８は無端状でフレキシブルな中間転写ベルト（以下、ベルトと略記する）であり、二次転写対向ローラ９とテンションロ−ラ１０との間に張架されていて、ローラ９が駆動されることにより矢印の反時計方向に所定の速度で回転駆動される。１１は二次転写ローラであり、二次転写対向ローラ９に対してベルト８を介して圧接させてある。ベルト８と二次転写ローラ１１との当接部が二次転写部である。
【００３０】
１Ｙ・１Ｍ・１Ｃ・１Ｂｋは第１〜第４の４つの画像形成部であり、ベルト８の下側においてベルト移動方向に沿って所定の間隔をおいて一列に配置されている。各画像形成部はレーザ露光方式の電子写真プロセス機構であり、それぞれ、矢印の時計方向に所定の速度で回転駆動される像担持体としてのドラム型の電子写真感光体（以下、ドラムと略記する）２を有する。各ドラム２の周囲には、一次帯電器３、現像装置４、転写手段としての転写ローラ５、ドラムクリーナ装置６が配置されている。各転写ローラ５はベルト８の内側に配置してあり、ベルト８の下行き側ベルト部分を介して対応するドラム２に対して圧接させてある。各ドラム２とベルト８との当接部が一次転写部である。７は各画像形成部のドラム２に対するレーザ露光装置であり、与えられる画像情報の時系列電気デジタル画素信号に対応した発光を行うレーザ発光手段、ポリゴンミラー、反射ミラー等で構成されている。
【００３１】
制御回路部１００は外部ホスト装置２００から入力されたカラー色分解画像信号に基づいて、各画像形成部を作像動作させる。これにより、第１〜第４の画像形成部１Ｙ・１Ｍ・１Ｃ・１Ｂｋにおいて、それぞれ回転するドラム２の面に対して所定の制御タイミングで、イエロー、マゼンタ、シアン、ブラックの色トナー像が形成される。なお、ドラム２にトナー像を形成する電子写真作像原理・プロセスは公知に属するからその説明は省略する。
【００３２】
各画像形成部のドラム２の面に形成される上記のトナー像はそれぞれ一次転写部にて、各ドラム２の回転方向と順方向に、かつ各ドラム２の回転速度に対応した速度で回転駆動されているベルト８の外面に対して順次に重畳転写される。これにより、ベルト８の面に上記の４つのトナー像の重ね合わせによる未定着のフルカラートナー像が合成形成される。
【００３３】
一方、所定の給紙タイミングにて、それぞれ大小各種幅サイズの記録材Ｐを積載収容させた上下多段のカセット給紙部１３Ａ・１３Ｂ・１３Ｃのうちの選択された段位の給紙カセットの給紙ローラ１４が駆動される。これにより、その段位の給紙カセットに積載収納されている記録材Ｐが１枚分離給紙されて縦搬送パス１５を通ってレジストローラ１６に搬送される。手差し給紙が選択されているときには、給紙ローラ１８が駆動される。これにより、手差しトレイ（マルチ・パーパス・トレイ）１７上に積載セットされている記録材が１枚分離給紙されて縦搬送パス１５を通ってレジストローラ１６に搬送される。
【００３４】
レジストローラ１６は、回転するベルト８上の上記のフルカラートナー像の先端が二次転写部に到達するタイミングに合わせて記録材Ｐの先端部が二次転写部に到達するように記録材Ｐをタイミング搬送する。これにより、二次転写部において、ベルト８上のフルカラーのトナー像が一括して記録材Ｐの面に順次に二次転写されていく。二次転写部を出た記録材は、ベルト８の面から分離され、縦ガイド１９に案内されて、定着装置２０に導入される。この定着装置２０により、上記の複数色のトナー像が溶融混色されて記録材表面に固着像として定着される。定着装置２０を出た記録材はフルカラー画像形成物として搬送パス２１を通って排紙ローラ２２により排紙トレイ２３上に送り出される。
【００３５】
二次転写部にて記録材分離後のベルト８の面はベルトクリーニング装置１２により二次転写残トナー等の残留付着物の除去を受けて清掃され、繰り返して作像に供される。
【００３６】
モノ黒プリントモードの場合には、ブラックトナー像を形成する第４の画像形成部Ｂｋのみが作像動作制御される。両面プリントモードが選択されている場合には、第１面プリント済みの記録材が排紙ローラ２２により排紙トレイ２３上に送り出されていき、後端部が排紙ローラ２２を通過する直前時点で排紙ローラ２２の回転が逆転に変換される。これにより、記録材はスイッチバックされて再搬送パス２４に導入される。そして、表裏反転状態になって再びレジストローラ１６に搬送される。以後は、第１面プリント時と同様に、二次転写部、定着装置２０に搬送されて、両面プリント画像形成物として排紙トレイ２３上に送り出される。
【００３７】
（２）定着装置２０
以下の説明において、定着装置またはこれを構成している部材について長手方向とは記録材搬送路面内において記録材搬送方向に直交する方向に並行な方向である。定着装置に関して、正面とは記録材導入側の面、左右とは装置を正面から見て左または右である。記録材の幅とは記録材面において記録材搬送方向に直交する方向の記録材寸法である。
【００３８】
図１は図１０における定着装置２０部分の拡大横断面模式図である。この定着装置２０は、大別して、ベルト加熱方式の定着機構部２０Ａと、送風冷却機構部２０Ｂとからなる。
【００３９】
（２−１）定着機構部２０Ａ
まず、主として図１〜図４、図９を参照して、定着機構部２０Ａの概略を説明する。図２は定着機構部２０Ａと送風冷却機構部２０Ｂとの分解斜視図、図３は定着機構部２０Ａの定着ベルトアセンブリと加圧ローラの正面模式図、図４はその縦断正面模式図、図９は定着装置の制御系統のブロック図である。
【００４０】
定着機構部２０Ａは、基本的には特開平４−４４０７５〜４４０８３、４−２０４９８０〜２０４９８４号公報等に開示のベルト（フィルム）加熱方式・加圧回転体駆動方式（テンションレスタイプ）のオンデマンド定着装置である。
【００４１】
３１は定着ベルトアセンブリ、３２は加圧回転体としての弾性加圧ローラである。この定着ベルトアセンブリ３１と加圧ローラ３２の両者の圧接により定着ニップ部Ｎを形成させている。
【００４２】
定着ベルトアセンブリ３１において、３３は加熱回転体としての、円筒状（エンドレスベルト状、スリーブ状）で、可撓性を有する定着ベルトである。３４は横断面略半円弧状樋型の耐熱性・剛性を有するベルトガイド部材（以下、ガイド部材と略記する）である。３５は加熱源（加熱体）としてのセラミックヒータ（以下、ヒータと略記する）であり、ガイド部材３４の外面に、該部材の長手に沿って設けた凹溝部に嵌め入れて固定して配設してある。定着ベルト３３はヒータ３５を取り付けたガイド部材３４に対してルーズに外嵌させてある。３６は横断面コ字型の剛性加圧ステイ（以下、ステイと略記する）であり、ガイド部材３４の内側に配設してある。３７はステイ３６の左右両端部の外方突出腕部３６ａにそれぞれ嵌着した端部ホルダ、３７ａはこの端部ホルダ３７と一体のフランジ部である。
【００４３】
定着ベルト３３は、通常、耐熱性樹脂ベルトや金属ベルトをベース層にして、これに、弾性層、離型層等を付加した複合層構造体であり、肉薄で、可撓性を有し、全体的に高熱伝導率・低熱容量の部材である。
【００４４】
セラミックヒータ３５は、定着ベルト３３・記録材Ｐの移動方向に直交する方向を長手とする低熱容量の横長・肉薄の線状加熱体である。チッ化アルミニウム・アルミナ等のセラミック材のヒータ基板と、この基板面に形成した銀−パラジウム等の通電発熱層と、を基本構成としている。セラミックヒータは各種公知であるからその詳細説明は省略する。
【００４５】
加圧ローラ３２は、芯金３２ａに、シリコーンゴム等の弾性層３２ｂを設けて硬度を下げたものである。表面性を向上させるために、さらに外周に、ＰＴＦＥ、ＰＦＡ、ＦＥＰ等のフッ素樹脂層３２ｃを設けてもよい。加圧ローラ３２は、芯金３２ａの左右両端部を装置フレーム３８の左右の側板３８Ｌ・３８Ｒ間に軸受部材３９を介して回転自由に軸受保持させて配設してある。
【００４６】
上記の加圧ローラ３２に対して、定着ベルトアセンブリ３１を、ヒータ３５側を対向させて並行に配列する。そして、左右の端部ホルダ３７を、それぞれ、不図示の加圧機構により所定の力Ｆで加圧ローラ３２の軸線方向に附勢する。これにより、ヒータ３５の面を定着ベルト３３を介して加圧ローラ３２に対して弾性層３２ｂの弾性に抗して圧接させて、加熱定着に必要な、記録材搬送方向に関して所定幅の定着ニップ部Ｎを形成させてある。加圧機構は、圧解除機構を有し、ジャム処理時等に加圧を解除して、定着ニップ部Ｎに挟み込まれている記録材Ｐの除去が容易な構成となっている。
【００４７】
４０と４１は装置フレーム３８に組付けた入り口ガイドと定着排紙ローラである。入り口ガイド４０は、二次転写ニップ部を通り、縦ガイド１９に案内されて定着装置２０に進入した記録材Ｐが、定着ニップ部Ｎに正確にガイドされるよう、記録材Ｐを導く役割を果たす。
【００４８】
Ｇは加圧ローラ３２の芯金３２ａの一端部に固着したドライブギアである。このギアＧに定着モータＭ１の回転力が不図示の動力伝達機構を介して伝達されることで、加圧ローラ３２が図１において矢印の時計方向に回転駆動される。この加圧ローラ３２の回転駆動により、加圧ローラ３２と定着ベルト３３の外面との定着ニップ部Ｎにおける摩擦力で定着ベルト３３に回転力が作用する。これにより、定着ベルト３３が、その内面が定着ニップ部Ｎにおいてヒータ３５に密着して摺動しながら矢印の反時計方向にガイド部材３４の外回りを回転する（加圧ローラ駆動方式）。定着ベルト３３は加圧ローラ３２の回転周速度にほぼ対応した周速度をもって回転する。左右のフランジ部３７ａは、回転する定着ベルト３３がガイド部材３４の長手に沿って左方または右方に寄り移動したとき寄り側のベルト端部を受け止めて移動を規制する役目をする。定着ベルト３３の内面にはグリス（潤滑剤）を塗布して、ヒータ３５・ガイド部材３４に対する定着ベルト３３の摺動性を確保している。
【００４９】
定着ニップ部Ｎに導入された記録材Ｐは、加圧ローラ３２と定着ベルト３３の回転により挟持搬送される。本実施例では、記録材Ｐの搬送は記録材中心の、いわゆる中央基準搬送で行われる。すなわち、装置に通紙使用可能な大小いかなる幅の記録材も、記録材幅方向中央部が定着ベルト３３の長手方向中央部を通過することになる。Ｓはその記録材中央通紙基準線（仮想線）である。
【００５０】
ＴＨ１とＴＨ２は第１と第２の温度検知手段としてのメインとサブの２つのサーミスタである。メインサーミスタＴＨ１は、大小いかなる幅の記録材も通紙部となるヒータ部分の温度を検出するように、ヒータ３５の長手方向のほぼ中央部位置においてヒータ裏面に対して接触させて配設してある。サブサーミスタＴＨ２は、装置に通紙使用可能な最大幅の記録材よりも小さい幅の記録材を通紙したときの非通紙部に対応する定着ベルト部分の温度を検出するように、定着ベルト３３の内面に弾性的に接触させて配設してある。具体的には、このサブサーミスタＴＨ２は、ガイド部材３４に基部を固定した板ばね形状の弾性支持部材４２の自由端部に支持されている。そして、このサブサーミスタＴＨ２を弾性支持部材４２の弾性により定着ベルト３３の内面に弾性的に接触させて配設してある。
【００５１】
ヒータ３５は、電力供給部としてのヒータ駆動回路９２（図９）から、ヒータ基板面に具備させた通電発熱層に対して通電がなされることで、通電発熱層が発熱して、ヒータ３５がヒータ長手方向の有効発熱幅全域において急速に昇温する。そのヒータ温度がメインサーミスタＴＨ１により検出され、ヒータ温度に関する電気的情報がＡ／Ｄコンバータ８１を介して制御回路部１００に入力する。また、サブサーミスタＴＨ２により定着ベルト３３の温度が検出され、定着ベルト温度に関する電気的情報がＡ／Ｄコンバータ８２を介して制御回路部１００に入力する。制御回路部１００は、メインサーミスタＴＨ１、サブサーミスタＴＨ２の出力をもとに、定着ヒータ３５の温調制御内容を決定し、ヒータ駆動回路９２から定着ヒータ３５への通電を制御する。すなわち、メインサーミスタＴＨ１で検出されるヒータ温度が所定の定着温度に維持されるように定着ヒータ３５を温調制御する。
【００５２】
そして、制御回路部１００は、外部ホスト装置２００からのプリント信号あるいは他の制御信号に基づいて、定着モータ駆動回路９１を制御して、加圧ローラ３２の回転駆動を開始させる。また、ヒータ駆動回路９２を制御して、ヒータ３５のヒートアップを開始させる。定着ベルト３３の回転速度が定常化し、ヒータ３５の温度が所定に立ち上がった状態において、画像形成部側から定着ニップ部Ｎに未定着トナー像ｔを担持した記録材Ｐが入り口ガイド４０に沿って案内されて導入される。記録材Ｐのトナー画像担持面側が定着ベルト３３に対面する。記録材Ｐは定着ニップ部Ｎにおいて定着ベルト３３を介してヒータ３５に密着して定着ニップ部Ｎを定着ベルト３３と一緒に移動通過していく。その移動通過過程においてヒータ３５で加熱される定着ベルト３３により記録材Ｐに熱が付与されてトナー画像ｔが記録材Ｐ面に加熱定着される。定着ニップ部Ｎを通過した記録材Ｐは定着ベルト３３の面から分離されて排出搬送される。
【００５３】
（２−２）送風冷却機構部２０Ｂ
次に、主として図５〜図８を参照して、送風冷却機構部２０Ｂを説明する。送風冷却機構部２０Ｂは、装置に通紙使用可能な最大幅の記録材よりも小さい幅の記録材を連続通紙した際に生じる、定着機構部２０Ａの非通紙部昇温を送風により冷却する冷却手段である。図５はこの送風冷却機構部２０Ｂの分解斜視図である。図６〜図８はシャッター板の動作説明図である。図６〜図８は、定着機構部を記録材の搬送方向下流側から見た図である。従って、後述する冷却ファン５２Ｌ・５２Ｒの回転方向は、通紙部へのエアーの吹き込みが無いように、定着ベルト３３の端部側を向くような方向とされている。
【００５４】
送風冷却機構部２０Ｂは、第１の冷却手段として、定着ベルト３３の長手方向左側の部分に対向して送風口ａが形成された左側ダクト５１Ｌと、このダクト５１Ｌに冷却風を送風する左側冷却ファン５２Ｌを有する。また、第２の冷却手段として、定着ベルト３３の長手方向右側の部分に対向して送風口ａが形成された右側ダクト５１Ｒと、このダクト５１Ｒに冷却風を送風する右側冷却ファン５２Ｒを有する。また、左側ダクト５１Ｌの送風口ａと右側ダクト５１Ｒの送風口ａの開口幅を調節する開口幅調節手段としてのシャッター機構５３を有する。
【００５５】
左右のダクト５１Ｌ・５１Ｒは、それぞれ、ダクト軸線を定着ベルト３３の回転軸線Ｏ−Ｏ（図６）に対して略垂直な方向にして配設されている。そして、この左右のダクト５１Ｌ・５１Ｒの送風口ａ側とは反対側にそれぞれ送風手段としての冷却ファン５２Ｌ・５２Ｒが配置されている。
【００５６】
左右の冷却ファン５２Ｌ・５２Ｒは軸流ファンであり、左側冷却ファン５２Ｌのフィン回転方向ｃに対し、右側冷却ファン５２Ｒのフィン回転方向ｄは逆である。フィン回転方向が互いに逆であるけれども、この左右の冷却ファン５２Ｌ・５２Ｒは、出力方向（風向き方向）は同じで、同性能のファンである。
【００５７】
左右のダクト５１Ｌ・５１Ｒの形状は、対応するファン５２Ｌ・５２Ｒの回転軸線方向に対してそれぞれ対称な形状（同形状）とされている。又は中央基準Ｓ（定着ベルト３３の長手中央）に対して対称形状とされている。
【００５８】
シャッター機構５３は、シャッターフレーム５４、このフレームの長手方向左側部と右側部とにそれぞれ具備させた窓穴ｂ・ｂ、左右一対の可動シャッター板５５Ｌ・５５Ｒ、シャッターモータＭ２、シャッター板位置検知手段５５ａ・５５ｂ・ＰＨ等を有する。左右の窓穴ｂ・ｂの形状・大きさは、それぞれ、左右のダクト５１Ｌ・５１Ｒの送風口ａ・ａの形状・大きさに対応させてある。そして、左右のダクト５１Ｌ・５１Ｒは、それぞれ、送風口ａを基板５４の左右の窓穴ｂに対応合致させて、基板５４に固定して配設してある。
【００５９】
左右一対の可動シャッター板５５Ｌ・５５Ｒは、基板５４のダクト５１Ｌ・５１Ｒを固定して配設した側とは反対側の面に配設してある。左側のシャッター板５５Ｌは左側の窓穴ｂ、すなわち、左側ダクト５１Ｌの送風口ａの開口幅を調節するように移動する。右側のシャッター板５５Ｒは右側の窓穴ｂ、すなわち、右側ダクト５１Ｒの送風口ａの開口幅を調節するように移動する。左右のシャッター板５５Ｌ・５５Ｒは、不図示のラック−ピニオン機構により連結されている。そして、シャッターモータ（パルスモータ）Ｍ２によりピニオンが正逆回転駆動されることにより、連動して左右ダクト５１Ｌ・５１Ｒの送風口ａの開口幅を同じように広狭調節するように移動制御される。
【００６０】
図６〜図８においては、煩雑を避けるために、送風冷却機構部２０Ｂは、左右側の各ダクト５１Ｌ・５１Ｒ、冷却ファン５２Ｌ・５２Ｒ、シャッター板５５Ｌ・５５Ｒだけを示した。
【００６１】
ここで、記録材について、定着装置に通紙使用可能な最大幅の記録材を大サイズ用紙、最小幅の記録材を小サイズ用紙、大サイズ用紙と小サイズ用紙の間の幅の記録材を中サイズ用紙とする。
【００６２】
図６は、小サイズ用紙の通紙時の状態を示もので、Ｑは小サイズ用紙の通紙域、Ｒａ・Ｒｂは通紙域Ｑの左右両側に生じる非通紙域（記録材搬送領域外）である。左右のダクト５１Ｌ・５１Ｒの送風口ａは、それぞれ、左右の非通紙域Ｒａ・Ｒｂに対向している。また、左右のダクト５１Ｌ・５１Ｒの送風口ａの幅は、それぞれ、左右の非通紙域Ｒａ・Ｒｂの幅に対応させてある。そして、左右のシャッター板５５Ｌ・５５Ｒは、それぞれ、左右のダクト５１Ｌ・５１Ｒの送風口ａを全開状態にした位置に移動されている。従って、小サイズ用紙の通紙時に生じる定着ベルト３３の左右の非通紙域Ｒａ・Ｒｂが、それぞれ、左右のダクト５１Ｌ・５１Ｒの全開状態の送風口ａから吹き出る冷却風によって冷却されて、小サイズ用紙連続通紙時の非通紙部昇温が防止される。
【００６３】
図７は、中サイズ用紙の通紙時の状態を示もので、Ｑは中サイズ用紙の通紙域、Ｒａ・Ｒｂは通紙域Ｑの左右両側に生じる非通紙域である。左右のシャッター板５５Ｌ・５５Ｒは、それぞれ、左右のダクト５１Ｌ・５１Ｒの送風口ａの開口幅を中サイズ用紙の幅に応じて狭めた位置に移動される。したがって、中サイズ用紙の通紙時に生じる定着ベルト３３の左右の非通紙域Ｒａ・Ｒｂが、それぞれ、左右のダクト５１Ｌ・５１Ｒの開口幅が調節された送風口ａから吹き出る冷却風によって冷却されて、中サイズ用紙の連続通紙時の非通紙部昇温が防止される。
【００６４】
図８は大サイズ用紙の通紙時の状態を示もので、この場合は、定着ベルト３３に非通紙部昇温は生じないので、左右のシャッター板５５Ｌ・５５Ｒは、それぞれ、左右のダクト５１Ｌ・５１Ｒの送風口ａを全閉状態にした位置に移動される。従って、定着ベルト３３は冷却風による冷却を受けない。この大サイズ用紙通紙の場合は、冷却ファン５２Ｌ・５２Ｒを停止状態に保持させる制御でもよい。また、この場合は、左右のシャッター板５５Ｌ・５５Ｒを、それぞれ、左右のダクト５１Ｌ・５１Ｒの送風口ａに対して全閉の位置に移動させる制御をなしにしてもよい。
【００６５】
このように、左右のシャッター板５５Ｌ・５５Ｒは、通紙使用される記録材の幅に対応した位置に移動するように制御される。これにより、左右のダクト５１Ｌ・５１Ｒの送風口ａが、通紙される記録材幅に最適な開口幅に調整されて、最適な非通紙域幅での送風冷却がなされる。具体的に、左右のシャッター板５５Ｌ・５５Ｒの一方のシャッター板５５Ｒの折り曲げ縁部５５ａ（図１・図５）には、各種幅サイズの記録材に対応して決められた複数のエッジ部５５ｂを設けてある。また、そのエッジ部５５ｂを検出するフォトセンサＰＨをシャッターフレーム５４に固定して設けてある。そのフォトセンサＰＨのエッジ部検知情報がＡ／Ｄコンバータ８３を介して制御回路部１００に入力する。制御回路部１００は外部ホスト装置２００等から入力した、使用する記録材の幅サイズ情報に対応したエッジ部５５ｂがフォトセンサＰＨで検出されるようにシャッターモータＭ２を正回転または逆回転制御して、左右のシャッター板５５Ｌ・５５Ｒを移動させる。そして、フォトセンサＰＨにより、通紙使用される記録材の幅サイズ情報に対応したエッジ部５５ｂが検出された時点でシャッターモータＭ２の駆動を停止させる。これにより、左右のシャッター板５５Ｌ・５５Ｒは、通紙使用される記録材の幅に対応した位置に移動される。
【００６６】
次に、本実施例の定着装置における左右の冷却ファン５２Ｌ・５２Ｒの動作について説明する。画像形成時に、上述の大サイズ用紙よりも幅の小さい中・小サイズ用紙を連続定着した場合、非通紙域Ｒａ・Ｒｂの温度が上昇する。第２の温度検知手段としてのサブサーミスタＴＨ２は、非通紙域に対応する定着ベルト部分の内面温度を検知する。制御回路部１００はサブサーミスタＴＨ２が予め定めた或る温度を検知したら、シャッターモータ駆動回路９３を制御して、シャッターモータＭ２により左右のシャッター板５５Ｌ・５５Ｒを記録材の幅に対応した位置に移動させる。また、冷却ファン駆動回路９４（図９）を制御して、左右の冷却ファン５２Ｌ・５２Ｒの動作を開始させる。これにより、非通紙部上昇が押えられる。そして、サブサーミスタＴＨ２の検知温度が予め定めた或る温度まで下降したら、冷却ファン５２Ｌ・５２Ｒの動作を停止させる。
【００６７】
この冷却ファン５２Ｌ・５２ＲのサブサーミスタのＴＨ２の検知温度によるＯＮ−ＯＦＦ制御の温度レンジは、冷却ファンの動作状況により、変更するように制御されている。
【００６８】
本実施例での冷却ファン５２Ｌ・５２ＲのＯＮ−ＯＦＦ制御の温度レンジは、例えば、Ｂ４サイズ用紙（中サイズ用紙）を１００枚連続通紙した場合には次ぎのように制御している。すなわち、通紙枚数が０〜３０枚の時は、冷却ファン５２Ｌ・５２Ｒの動作開始温度をサブサーミスタＴＨ２の検知温度が２００℃になった時に、冷却ファンの停止温度をサブサーミスタの検知温度が１９０℃になった時に行う。そして、３１〜６０枚の時は、同じく冷却ファンの動作温度を開始２０５℃、停止１９５℃にて行う。以後３０枚ごとに、冷却ファンの動作の開始温度と、停止温度を５℃ずつ上げている。
【００６９】
前述のように、左右の冷却ファン５２Ｌ・５２Ｒの、一方の冷却ファン５２Ｌのフィン回転方向ｃに対し他方の冷却ファン５２Ｒのフィン回転方向ｄは逆回転であり、左右のダクト５１Ｌ・５１Ｒの形状は同形状又は中央基準Ｓに対して対称形状である。これにより、左右側の非通紙域Ｒａ・Ｒｂにそれぞれ送風される空気流の風速分布と流線方向は中央基準Ｓに対して対称となる分布となり、定着ベルト３３の温度分布は長手中央に対し対称となる。
【００７０】
上記のように、定着ベルト３３の左右の非通紙域Ｒａ・Ｒｂに送風される空気流の風速分布と流線方向が中央基準Ｓに対して対称であることにより、通紙域幅方向端部近傍の温度が両端で同じなので、定着不良が起こることがない。又、定着ベルト３３の左右の非通紙域Ｒａ・Ｒｂが冷却された温度分布は中央基準Ｓに対して対称となるので、両非通紙域Ｒａ・Ｒｂに温度検知手段ＴＨ２を設ける必要がなく一方の非通紙域のみに設けるだけで良い。さらに、定着ベルト３３の温度分布は長手中央に対し対称となるので、熱による加圧ローラ３２の膨張も長手中央に対し対称となり、記録材搬送時に記録材がローラ片側に寄ることはない。従って、安定した定着と記録材搬送をすることができる。
【００７１】
本実施例の定着装置は、熱源を有する回転体の非通紙領域である両端部に送風される風速分布を対称にすることにより、両端部の温度差をなくすものである。これにより、定着不良や非通紙部昇温による不具合がなく、安定した記録媒体搬送を達成することができる。特にクイックスタートや省エネルギーを目的とする薄肉のベルト加熱方式においては、熱容量が小さいため、両端部に送風される空気流の風速差が冷却効果の差としてベルトの温度分布に顕著に表れる。そのため、両端部に送風される風速の分布が対称であるときのベルトの冷却効果はより大きいといえる。
【実施例２】
【００７２】
図１１は本実施例の画像加熱装置としての定着装置２０の外観斜視図、図１２は横断側面模型図、図１４〜図１５はシャッター板の動作説明図である。
【００７３】
本実施例の定着装置２０も、大別して、ベルト加熱方式の定着機構部２０Ａと、送風冷却機構部２０Ｂとからなる。また、記録材Ｐの搬送は、記録材中心の、いわゆる中央基準搬送で行われる。
【００７４】
本実施例における定着機構部２０Ａは、加熱回転体としてのエンドレスベルト状の定着ベルト３３を、互いに略並行に配列した、駆動ローラ６１と、従動ローララ６２と、加熱体３５を保持させたヒータ支持体６３と、の３部材間に懸回張設してある。従動ローラ１１は定着ベルト１のテンションローラを兼ねる。加熱体３５は、定着ベルト３３・記録材Ｐの移動方向に直交する方向を長手とするセラミックヒータである。このヒータ３５に対して定着ベルト３３を介して弾性加圧ローラ３２を圧接させて定着ニップ部Ｎを形成させてある。駆動ローラ６１が定着モータＭ１により、図１２において矢印の時計方向に回転駆動される。これにより、定着ベルト３３が矢印の時計方向に回転駆動される。従動ローラ１１と加圧ローラ３２は定着ベルト３３の回転に従動して回転する。定着ベルト３３の内面は、ヒータ３５とヒータ支持体６３に対して摺動移動する。
【００７５】
ヒータ３５は、ヒータ駆動回路から、ヒータ基板面に具備させた通電発熱層に対して通電がなされることで、通電発熱層が発熱して、ヒータ３５がヒータ長手方向の有効発熱幅全域において急速に昇温する。そのヒータ温度が、第１と第２の温度検知手段としてのメインとサブの２つのサーミスタＴＨ１とＴＨ２により検知される。メインサーミスタＴＨ１は、大小いかなる幅の記録材も通紙部となるヒータ部分の温度を検出するように、ヒータ３５の長手方向のほぼ中央部位置においてヒータ裏面に対して接触させて配設してある。サブサーミスタＴＨ２は、装置に通紙使用可能な最大幅の記録材よりも小さい幅の記録材を通紙したときの非通紙部に対応するヒータ部分の温度を検出するように、ヒータ３５の長手方向端部に接触させて配設してある。メインサーミスタＴＨ１により検出され、ヒータ温度に関する電気的情報がＡ／Ｄコンバータを介して制御回路部に入力する。また、サブサーミスタＴＨ２により定着ベルト３３の温度が検出され、定着ベルト温度に関する電気的情報がＡ／Ｄコンバータを介して制御回路部に入力する。制御回路部は、メインサーミスタＴＨ１、サブサーミスタＴＨ２の出力をもとに、定着ヒータ３５の温調制御内容を決定し、ヒータ駆動回路から定着ヒータ３５への通電を制御する。すなわち、メインサーミスタＴＨ１で検出されるヒータ温度が所定の定着温度に維持されるように定着ヒータ３５を温調制御する。
【００７６】
そして、制御回路部は、外部ホスト装置からのプリント信号あるいは他の制御信号に基づいて、定着モータＭ１の駆動回路を制御して、駆動ローラ６１の回転駆動を開始させる。また、ヒータ駆動回路を制御して、ヒータ３５のヒートアップを開始させる。定着ベルト３３の回転速度が定常化し、ヒータ３５の温度が所定に立ち上がった状態において、画像形成部側から定着ニップ部Ｎに未定着トナー像ｔを担持した記録材Ｐが入り口ガイド４０に沿って案内されて導入される。記録材Ｐのトナー画像担持面側が定着ベルト３３に対面する。記録材Ｐは定着ニップ部Ｎにおいて定着ベルト３３を介してヒータ３５に密着して定着ニップ部Ｎを定着ベルト３３と一緒に移動通過していく。その移動通過過程においてヒータ３５で加熱される定着ベルト３３により記録材Ｐに熱が付与されてトナー画像ｔが記録材Ｐ面に加熱定着される。定着ニップ部Ｎを通過した記録材Ｐは定着ベルト３３の面から分離され、出口ガイド４２に沿って排出搬送される。
【００７７】
送風冷却機構部２０Ｂは、第１の冷却手段として、駆動ローラ６１と従動ローラ６２との間の定着ベルト部分の外面の左側部分に対応させて配設した左側ダクト５１Ｌと、このダクト５１Ｌに冷却風を送風する左側冷却ファン５２Ｌを有する。また、第２の冷却手段として、上記の定着ベルト部分の外面の右側部分に対応させて配設した右側ダクト５１Ｒと、このダクト５１Ｒに冷却風を送風する右側冷却ファン５２Ｒを有する。
【００７８】
左側ダクト５１Ｌと右側ダクト５１Ｌは、従動ローラ６２側から駆動ローラ６１側に方向に延在させてあり、定着ベルト３３に対面する底面側をそれぞれ定着ベルト３３に対向する送風口ａとして開放してある。また、左側ダクト５１Ｌと右側ダクト５１Ｒの駆動ローラ６１側の端面は冷却風出口部として開放してある。左右の冷却ファン５２Ｌと５２Ｒは、それぞれ、左右のダクト５１Ｌと５１Ｒの冷却風出口部側とは反対側においてダクト内に配設してある。
【００７９】
左側ダクト５１Ｌの内側の側面板５６Ｌと右側ダクト５１Ｒの内側の側面板５６Ｌは定着ベルト３３の長手方向にスライド移動可能に構成されている。そして、左側ダクト５１Ｌの側面板５６Ｌの冷却ファン５２Ｌ側の端部は内向きに略直角に折り曲げて左シャッター板５５Ｌとしてある。また、右側ダクト５１Ｒの側面板５６Ｒの冷却ファン５２Ｒ側の端部も内向きに略直角に折り曲げて右シャッター板５５Ｌとしてある。このシャッター板５５Ｌ付きの左側面板５６Ｌと、シャッター板５５Ｒ付きの右側面板５６Ｒは、モータ・駆動ギア等からなるスライド機構５７により、連動して左右ダクト５１Ｌ・５１Ｒの送風口ａの開口幅を同じように広狭調節するように移動制御される。
【００８０】
制御回路部は、通紙される記録材の幅サイズ情報に対応してスライド機構５７を制御して、シャッター板５５Ｌ付きの左側面板５６Ｌと、シャッター板５５Ｒ付きの右側面板５６Ｒをその記録材の幅に対応した位置に移動する。すなわち、制御回路部は、定着ニップ部Ｎを通る記録材の幅サイズに対応して、左右の送風冷却手段において、各冷却ファン５２Ｌ・５２Ｒからの送風範囲を最適な幅に変えるようにスライド機構５７を制御する。
【００８１】
左右のダクト５１Ｌ・５１Ｒは、それぞれ、ダクト軸線を定着ベルト３３の回転軸線に略垂直な方向にして配設されている。左右のダクト５１Ｌ・５１Ｒの形状は同形状又は中央基準Ｓ（定着ベルト３３の長手中央）に対して対称形状である。左右の冷却ファン５２Ｌ・５２Ｒは軸流ファンであり、左側冷却ファン５２Ｌのフィン回転方向ｃに対し、右側冷却ファン５２Ｒのフィン回転方向ｄは逆である。フィン回転方向が互いに逆であるけれども、この左右の冷却ファン５２Ｌ・５２Ｒ８は、出力方向（風向き方向）は同じで、同性能のファンである。
【００８２】
図１３は、小サイズ用紙（定着装置に通紙使用可能な最小幅の記録材）の通紙時の状態を示もので、Ｑは小サイズ用紙の通紙域、Ｒａ・Ｒｂは通紙域Ｑの左右両側に生じる非通紙域（記録材搬送領域外）である。左右のダクト５１Ｌ・５１Ｒの送風口ａは、それぞれ、左右の非通紙域Ｒａ・Ｒｂに対向している。また、左右のダクト５１Ｌ・５１Ｒの送風口ａの幅は、それぞれ、左右の非通紙域Ｒａ・Ｒｂの幅に対応させてある。
【００８３】
そして、シャッター板５５Ｌ付きの左側面板５６Ｌと、シャッター板５５Ｒ付きの右側面板５６Ｒは、それぞれ、左右のダクト５１Ｌ・５１Ｒの送風口ａを全開状態にした位置に移動されている。従って、小サイズ用紙の通紙時に生じる定着ベルト３３の左右の非通紙域Ｒａ・Ｒｂが、それぞれ、左右のダクト５１Ｌ・５１Ｒの全開状態の送風口ａから吹き出る冷却風によって冷却されて、小サイズ用紙連続通紙時の非通紙部昇温が防止される。
【００８４】
図１４は、中サイズ用紙（定着装置に通紙使用可能な最大幅の記録材を大サイズ用紙と最小幅の記録材の間の幅の記録材）の通紙時の状態を示もので、Ｑは中サイズ用紙の通紙域、Ｒａ・Ｒｂは通紙域Ｑの左右両側に生じる非通紙域である。シャッター板５５Ｌ付きの左側面板５６Ｌと、シャッター板５５Ｒ付きの右側面板５６Ｒは、それぞれ、左右のダクト５１Ｌ・５１Ｒの送風口ａの開口幅を中サイズ用紙の幅に応じて狭めた位置に移動される。したがって、中サイズ用紙の通紙時に生じる定着ベルト３３の左右の非通紙域Ｒａ・Ｒｂが、それぞれ、左右のダクト５１Ｌ・５１Ｒの開口幅が調節された送風口ａから吹き出る冷却風によって冷却されて、中サイズ用紙の連続通紙時の非通紙部昇温が防止される。
【００８５】
図１５は大サイズ用紙（定着装置に通紙使用可能な最大幅の記録材）の通紙時の状態を示もので、この場合は、定着ベルト３３に非通紙部昇温は生じない。そこで、シャッター板５５Ｌ付きの左側面板５６Ｌと、シャッター板５５Ｒ付きの右側面板５６Ｒは、それぞれ、左右のダクト５１Ｌ・５１Ｒの送風口ａを全閉状態にした位置に移動される。従って、定着ベルト３３は冷却風による冷却を受けない。この大サイズ用紙通紙の場合は、冷却ファン５２Ｌ・５２Ｒを停止状態に保持させる制御でもよい。また、この場合は、左右のシャッター板５５Ｌ・５５Ｒを、それぞれ、左右のダクト５１Ｌ・５１Ｒの送風口ａに対して全閉の位置に移動させる制御をなしにしてもよい。
【００８６】
制御回路部は、サブサーミスタＴＨ２が予め定めた或る温度を検知したら、スライド機構５７を制御して、シャッター板５５Ｌ付きの左側面板５６Ｌと、シャッター板５５Ｒ付きの右側面板５６Ｒを、それぞれ、記録材の幅に対応した位置に移動させる。また、冷却ファン駆動回路を制御して、左右の冷却ファン５２Ｌ・５２Ｒの動作を開始させる。これにより、非通紙部上昇が押さえられる。そして、サブサーミスタＴＨ２の検知温度が予め定めた或る温度まで下降したら、冷却ファン５２Ｌ・５２Ｒの動作を停止させる。
【００８７】
この実施例２の定着装置の構成の場合も、前記実施例１の定着装置と同様の効果が得られる。
【００８８】
１）実施例１・２において、左右の冷却ファン５２Ｌ・５２Ｒは、加熱回転体である定着ベルト３３の長手中央に対して対称の風速分布である、ロータの回転方向が両端部で対称であるブロワーファン等でも良い。
【００８９】
２）定着機構部２０Ａは、実施例１・２のベルト加熱方式・加圧回転体駆動方式に限られない。駆動手段によって回転され、ハロゲンランプ等で加熱される加熱ローラとそれに圧接する加圧ローラとで形成される熱ローラ方式、その他の方式のものにすることができる。電磁誘導加熱方式の装置にすることもできる。
【００９０】
３）本発明の画像加熱装置は、実施例の定着装置に限られず、記録材に定着された画像を加熱することにより画像の光沢を増大させる光沢増大化装置等としても使用できる。
【図面の簡単な説明】
【００９１】
【図１】実施例１における定着装置の横断面模型図
【図２】その定着装置の定着機構部と送風冷却機構部との分解斜視模型図
【図３】定着機構部の一部切り欠き正面模型図
【図４】定着機構部の縦断正面模型図
【図５】送風冷却機構部の分解斜視模型図
【図６】小サイズ用紙連続通紙時の送風冷却機構部の状態説明図
【図７】中サイズ用紙連続通紙時の送風冷却機構部の状態説明図
【図８】大サイズ用紙連続通紙時の送風冷却機構部の状態説明図
【図９】定着装置制御系統のブロック図
【図１０】実施例１における画像形成装置の横断面模型図
【図１１】実施例２における定着装置の外観斜視模型図
【図１２】定着装置の横断面模型図
【図１３】小サイズ用紙連続通紙時の送風冷却機構部の状態説明図
【図１４】中サイズ用紙連続通紙時の送風冷却機構部の状態説明図
【図１５】大サイズ用紙連続通紙時の送風冷却機構部の状態説明図
【図１６】従来例装置の説明図
【符号の説明】
【００９２】
２０・・定着装置、２０Ａ・・定着機構部、２０Ｂ・・送風冷却機構部、３１・・定着ベルトアセンブリ、３３・・定着ベルト（加熱回転体）、３５・・加熱源（加熱体:セラミックヒータ）、３２・・加圧ローラ（加圧回転体）、Ｎ・・定着ニップ部、ＴＨ１・・第１の温度検知手段（メインサーミスタ）、ＴＨ２・・第２の温度検知手段（サブサーミスタ）、５１Ｌ・５１Ｒ・・ダクト、ａ・・送風口、５２Ｌ・５２Ｒ・・冷却ファン、５５Ｌ・５５Ｒ・・シャッター板、Ｐ・・記録材、Ｑ・・通紙域、Ｒ・・非通紙域
【図１】
2008032904.tif 000003
【図２】
2008032904.tif 000004
【図３】
2008032904.tif 000005
【図４】
2008032904.tif 000006
【図５】
2008032904.tif 000007
【図６】
2008032904.tif 000008
【図７】
2008032904.tif 000009
【図８】
2008032904.tif 000010
【図９】
2008032904.tif 000011
【図１０】
2008032904.tif 000012
【図１１】
2008032904.tif 000013
【図１２】
2008032904.tif 000014
【図１３】
2008032904.tif 000015
【図１４】
2008032904.tif 000016
【図１５】
2008032904.tif 000017
【図１６】
2008032904.tif 000018